(57)【要約】      （修正有）【課題】部品を最小数に抑えても、注射針を確実に引き込むことが可能であり、重複に利用できない注射器を提供する。【解決手段】内部の前端２０に階段状構造２１が設けられており、階段状構造２１は円錐形環状溝２２と係止環状溝２４と環状突起２６とを有し、円錐形環状溝２２と係止環状溝２４は階段状を呈し、環状突起２６は円錐形環状溝２２の下縁から突出している注射筒２と、注射筒の内部の前端２０に組み付けられており、その周囲にはその底端から上端へ、環状円錐部３２と係止部３４とが順次に設けられており、環状円錐部３２は円錐形環状溝２２に対応し、係止部３４は係止環状溝２４に対応しており、底端は環状突起２６に係止されているアダプターと、注射筒の内部に移動可能に収容され、その前端５０は、アダプターの底端に移動して押付けて、アダプターの底端と連結する押子５と、を含む。【選択図】図２
0003189080.tif 000002
【実用新案登録請求の範囲】
【請求項１】
その内部の前端に階段状構造が設けられており、前記階段状構造は、円錐形環状溝と、係止環状溝と、環状突起と、を有し、前記円錐形環状溝と前記係止環状溝は階段状を呈し、前記環状突起は前記円錐形環状溝の下縁から突出している注射筒と、
前記注射筒の内部の前端に組み付けられており、その周囲には、その底端から上端へ、環状円錐部と、係止部と、が順次に設けられており、前記環状円錐部は前記円錐形環状溝に対応しており、前記係止部は前記係止環状溝に対応しており、その底端は前記環状突起に係止されているアダプターと、
前記注射筒の内部に移動可能に収容されており、その前端は、前記アダプターの底端に移動して押付けて、前記アダプターの底端と連結する押子と、を含み、
前記注射筒の前記円錐形環状溝は傾斜状を呈し、前記アダプターの環状円錐部は、前記円錐形環状溝に対応する傾斜状を呈し、これにより、前記環状円錐部は前記円錐形環状溝に良く接触することが可能であることを特徴とする注射器。
【請求項２】
前記階段状構造の前記円錐形環状溝の直径は、前記係止環状溝の直径よりも大きく、前記アダプターの前記環状円錐部の外径は、前記係止部の外径よりも大きく、これにより、前記アダプターが前記注射筒の内部に組み付けられているときには、前記環状円錐部は前記円錐形環状溝に良く接触することが可能であり、前記係止部は前記係止環状溝に係止されることを特徴とする、請求項１に記載の注射器。
【請求項３】
前記アダプターの内部から引掛け部が延びており、前記引掛け部には、円錐状フックが裏上へ形成されており、前記アダプターの底端に窪みが形成されていることを特徴とする、請求項１又は２に記載の注射器。
【請求項４】
前記押子の前端には、ピストンと、前記ピストンから突出する連接柱と、が設けられており、前記ピストンは移動して前記アダプターの底端に押付けることが可能であり、前記ピストンは前記窪みに良く接触することが可能であり、前記連接柱は、前記アダプターの内部に収容されており、前記円錐状フックに固定されていることを特徴とする、請求項３に記載の注射器。
【請求項５】
前記連接柱に係合溝が設けられており、前記円錐状フックは、前記連接柱の前記係合溝に係合されて固定していることを特徴とする、請求項４に記載の注射器。
【請求項６】
前記アダプターには、上方に延びる突出具が設けられており、前記突出具に注射針を取り付けることが可能であることを特徴とする、請求項１に記載の注射器。
【請求項７】
前記注射筒の内部の前端に螺着部が設けられており、前記螺着部に前記注射針を螺着することが可能であることを特徴とする、請求項６に記載の注射器。
【考案の詳細な説明】
【技術分野】
【０００１】
本考案は、注射器に関し、特に、アダプターと注射筒の緊密な合わせを確保することが可能であり、注射液が外部に漏れ出すことを防止することが可能な注射器に関するものである。
【背景技術】
【０００２】
注射器を良く取り扱わないと、ヘルスケアメンバー及び医療廃棄物処理メンバーは注射針に刺されて、エイズ（ＡＩＤＳ）、Ｂ型肝炎、肺結核（ＴＢ）などを感染する可能性がある。統計によると、全世界は、毎年、不安全な注射による死亡の患者数は１３０万人であり、直接の医療費用は数億ドルを掛かる。不安全な注射というのは、注射を受ける者、ヘルスケアメンバー及び公共環境に対する不安全な注射方式であり、すなわち、使い捨て式注射器を重複に利用すること、無菌操作ミス及び医療廃棄物処理を正確に処理しないことなどである。上記の状況を回避するために、安全注射器が開発されて市販している。このような安全注射器は、針基が注射筒のネック内に設けられており、利用後に、針基を注射筒の内部に引き込むことが可能な構造である。
【先行技術文献】
【特許文献】
【０００３】
【特許文献１】なし
【考案の概要】
【考案が解決しようとする課題】
【０００４】
本考案の主な目的は、部品を最小数に抑えても、注射針を引き込むことの確実性を確保することが可能であり、重複に利用できない注射器を提供することにある。
【０００５】
本考案の次の目的は、アダプターと注射筒は、緊密に合わせており、その間に隙間が発生せず、注射液が外部に漏れ出しない注射器を提供することにある。
【課題を解決するための手段】
【０００６】
本考案の注射器によると、その内部の前端に階段状構造が設けられており、階段状構造は、円錐形環状溝と、係止環状溝と、環状突起と、を有し、円錐形環状溝と係止環状溝は階段状を呈し、環状突起は円錐形環状溝の下縁から突出している注射筒と、注射筒の内部の前端に組み付けられており、その周囲には、その底端から上端へ、環状円錐部と、係止部と、が順次に設けられており、環状円錐部は円錐形環状溝に対応しており、係止部は係止環状溝に対応しており、その底端は環状突起に係止されているアダプターと、注射筒の内部に移動可能に収容されており、その前端は、アダプターの底端に移動して押付けて、アダプターの底端と連結する押子と、を含み、注射筒の円錐形環状溝は傾斜状を呈し、アダプターの環状円錐部は、円錐形環状溝に対応する傾斜状を呈し、これにより、環状円錐部は円錐形環状溝に良く接触することが可能であることを特徴とする。
【０００７】
本考案の注射器によると、階段状構造の円錐形環状溝の直径は、係止環状溝の直径よりも大きく、アダプターの環状円錐部の外径は、係止部の外径よりも大きく、これにより、アダプターが注射筒の内部に組み付けられているときには、環状円錐部は円錐形環状溝に良く接触することが可能であり、係止部は係止環状溝に係止されることを特徴とする。
【０００８】
本考案の注射器によると、アダプターの内部から引掛け部が延びており、引掛け部には、円錐状フックが裏上へ形成されており、アダプターの底端に窪みが形成されていることを特徴とする。
【０００９】
本考案の注射器によると、押子の前端には、ピストンと、ピストンから突出する連接柱と、が設けられており、ピストンは移動してアダプターの底端に押付けることが可能であり、ピストンは窪みに良く接触することが可能であり、連接柱は、アダプターの内部に収容されており、円錐状フックに固定されていることを特徴とする。
【００１０】
本考案の注射器によると、連接柱に係合溝が設けられており、円錐状フックは、連接柱の係合溝に係合されて固定していることを特徴とする。
【００１１】
本考案の注射器によると、アダプターには、上方に延びる突出具が設けられており、突出具に注射針を取り付けることが可能であることを特徴とする。
【００１２】
本考案の注射器によると、注射筒の内部の前端に螺着部が設けられており、螺着部に注射針を螺着することが可能であることを特徴とする。
【考案の効果】
【００１３】
本考案の注射器によれば、次のような効果がある。
（１）部品を最小数に抑えても、注射針を引き込むことの確実性を確保することが可能であり、重複に利用できない。
【００１４】
（２）アダプターと注射筒は、緊密に合わせており、その間に隙間が発生せず、注射液が外部に漏れ出しない。
【図面の簡単な説明】
【００１５】
【図１】本考案の一実施例を示す分解斜視図である。
【図２】本考案の一実施例を示す断面図１であって、アダプターが注射筒の前端の階段状構造に取り付けられていない状態を示す。
【図３】本考案の一実施例を示す断面図２であって、アダプターが注射筒の前端の階段状構造に取り付けられた状態を示す。
【図４】本考案の一実施例を示す断面図３であって、押子、アダプター及び注射筒の組付けを示す。
【図４Ａ】図４の一部を示す拡大図であって、アダプターが注射筒の内部に接触している状態を示す。
【図５】本考案の一実施例のアダプターを示す斜視図である。
【図５Ａ】図５の断面図である。
【図６】本考案の一実施例の使用状態を示す断面図であって、注射針、アダプター及び注射筒の組付けを示す。
【図７】図６の別の状態を示す断面図であって、注射針、アダプター及び注射筒の組付けを示す。
【考案を実施するための形態】
【００１６】
以下、本考案の実施の形態を図面に基づいて説明する。
図１から図５Ａを参照する。図１は本考案の一実施例を示す分解斜視図であり、図２は、本考案の一実施例を示す断面図１であって、アダプターが注射筒の前端の階段状構造に取り付けられていない状態を示し、図３は、本考案の一実施例を示す断面図２であって、アダプターが注射筒の前端の階段状構造に取り付けられた状態を示し、図４は、本考案の一実施例を示す断面図３であって、押子、アダプター及び注射筒の組付けを示し、図４Ａは、図４の一部を示す拡大図であって、アダプターが注射筒の内部に接触している状態を示し、図５は本考案の一実施例のアダプターを示す斜視図であり、図５Ａは図５の断面図である。本考案の注射器は、注射筒２と、アダプター３と、押子５と、を含む。注射筒２は、図２に示すように、その内部の前端２０に階段状構造２１が設けられている。階段状構造２１は、円錐形環状溝２２と、係止環状溝２４と、環状突起２６と、を有する。円錐形環状溝２２と係止環状溝２４は階段状を呈する。このように、階段状構造２１はアダプター３に有効に合わせることが可能であり、階段状構造２１とアダプター３の間に隙間が発生しない。環状突起２６は円錐形環状溝２２の下縁から突出している。一方、注射筒２の内部の前端２０に螺着部２７が設けられている。図６に示すように、螺着部２７に注射針を螺着することが可能である。
【００１７】
アダプター３は、注射筒２の内部の前端２０に組み付けられており、図６に示すように、注射針を取り付けることが可能である。図５及び図５Ａを参照する。具体的には、アダプター３には、上方に延びる突出具３１が設けられており、突出具３１に注射針を取り付けることが可能である。アダプター３の周囲には、その底端から上端へ、環状円錐部３２と、係止部３４と、が順次に設けられている。注射筒２の内部の前端２０にアダプター３を組付けた後、環状円錐部３２は注射筒２の円錐形環状溝２２に対応しており、係止部３４は注射筒２の係止環状溝２４に対応している。アダプター３の底端は環状突起２６に係止されている。このように、アダプター３は、注射筒２の内部の前端２０に安定的に保持される。一方、アダプター３の内部から引掛け部３６が延びている。引掛け部３６には、円錐状フックが裏上へ形成されている。アダプター３の底端に窪み３７が形成されている。アダプター３の底端に押付けブロック３８が設けられている。
【００１８】
図４及び図４Ａを参照する。注射筒２とアダプター３の合わせは、具体的には、注射筒２の円錐形環状溝２２は傾斜状を呈し、アダプター３の環状円錐部３２は、円錐形環状溝２２に対応する傾斜状を呈する。このように、注射筒２の内部にアダプター３を組付けた後、環状円錐部３２は円錐形環状溝２２に良く接触することが可能であり、アダプター３と注射筒２は、緊密に合わせており、その間に隙間が発生せず、注射液が外部に漏れ出しない。
【００１９】
階段状構造２１の円錐形環状溝２２の直径は、係止環状溝２４の直径よりも大きい。アダプター３の環状円錐部３２の外径は、係止部３４の外径よりも大きい。このように、図３に示すように、アダプター３が注射筒２の内部の前端２０に組み付けられているときに、環状円錐部３２は円錐形環状溝２２の壁面に良く接触することが可能であり、係止部３４は係止環状溝２４の壁面に係止される。これにより、アダプター３は注射筒２の内部の前端２０に緊密に接触することが可能であり、アダプター３と注射筒２は、緊密に合わせており、その間に隙間が発生せず、注射液が外部に漏れ出しない。
【００２０】
図２から図４を参照する。押子５は、注射筒２の内部に移動可能に収容されており、その前端５０は、アダプター３の底端に移動して押付けて、アダプター３の底端と連結する。本実施例では、押子５の前端５０には、ピストン５２と、ピストン５２から突出する連接柱５４と、が設けられている。ピストン５２は、移動してアダプター３の底端に押付けることが可能である。これにより、ピストン５２はアダプター３の窪み３７に良く接触することが可能であり、連接柱５４は、アダプター３の内部に収容されており、前記円錐状フックに固定されている。詳細的には、連接柱５４に係合溝５６が設けられており、係合溝５６は連接柱５４の表面から凹んで形成されている。連接柱５４がアダプター３の内部に収容されているときには、前記円錐状フックが連接柱５４の係合溝５６と係合して連接柱５４を保持することが可能である。このため、押子５を引き戻すと、アダプター３と注射針は、押子５と共に引かれて、注射筒２の内部に入る。一方、ピストン５２の一部の表面は、アダプター３の底端の押付けブロック３８に押付けられる。
【００２１】
図４、図６及び図７を参照しながら本考案の使用状態を説明する。押子５を前へ押さえると、前端５０が注射筒２の内部の前端２０へ移動して、押子５のピストン５２がアダプター３の底端の窪み３７に当接し、注射液を完全に排出することが可能である。このとき、連接柱５４がアダプター３の内部に収容されているため、アダプター３の引掛け部３６が連接柱５４の係合溝５６に係止されている。注射液が完全に排出された後、押子５を引き戻すと、アダプター３と注射針は、図７に示すように、押子５と共に引かれて、注射筒２の内部に確実に入ることが可能である。一方、アダプター３の底端の押付けブロック３８は、押子５のピストン５２の表面に押付けるため、アダプター３と注射針との向いている方向が変更される。このように、アダプター３と注射針が注射筒の内部に止まるため、注射器をもう一度利用することができない。このため、部品を最小数に抑えても、注射針を引き込むことの確実性を確保することが可能であり、重複に利用できない。
【産業上の利用可能性】
【００２２】
本考案は、注射器に適用することができる。
【符号の説明】
【００２３】
２  注射筒
３  アダプター
５  押子
２０  前端
２１  階段状構造
２２  円錐形環状溝
２４  係止環状溝
２６  環状突起
２７  螺着部
３１  突出具
３２  環状円錐部
３４  係止部
３６  引掛け部
３７  窪み
３８  押付けブロック
５０  前端
５２  ピストン
５４  連接柱
５６  係合溝
【図１】
0003189080.tif 000003
【図２】
0003189080.tif 000004
【図３】
0003189080.tif 000005
【図４】
0003189080.tif 000006
【図４Ａ】
0003189080.tif 000007
【図５】
0003189080.tif 000008
【図５Ａ】
0003189080.tif 000009
【図６】
0003189080.tif 000010
【図７】
0003189080.tif 000011